(57)【要約】【課題】本発明は、電子装置及びＲＦ信号受信方法を提供する。【解決手段】本発明の電子装置は、特定周波数範囲を有するＲＦ信号を受信する受信ユニットと、電子装置の電子素子の動作周波数が特定周波数範囲内にあるか否かを検出する検出ユニットと、電子素子の動作周波数を調整して、調整後の電子素子の動作周波数が特定周波数範囲を有するＲＦ信号に干渉しないようにする処理ユニットと、を備える。本発明のＲＦ信号受信方法は、少なくとも１つの電子素子を有する電子装置に用いられ、特定周波数範囲を有するＲＦ信号を受信するステップと、少なくとも１つの電子素子の動作周波数が特定周波数範囲内にあるか否かを検出するステップと、少なくとも１つの電子素子の動作周波数を調整して、調整後の少なくとも１つの電子素子の動作周波数が特定周波数範囲を有するＲＦ信号に干渉しないようにするステップと、を備える。【選択図】図２
2014107866.tif 000002
【特許請求の範囲】
【請求項１】
特定周波数範囲を有するＲＦ信号を受信する受信ユニットと、
電子装置の電子素子の動作周波数が前記特定周波数範囲内にあるか否かを検出する検出ユニットと、
前記電子素子の動作周波数が前記特定周波数範囲内にあると、調整後の前記電子素子の動作周波数が前記特定周波数範囲を有する前記ＲＦ信号に干渉しないように、前記電子素子の動作周波数を調整する処理ユニットと、
を備えることを特徴とする電子装置。
【請求項２】
前記処理ユニットは、前記電子素子の動作周波数が特定周波数範囲を有する前記ＲＦ信号に干渉しないように、前記電子素子の動作周波数を前記特定周波数範囲内にないように調整することを特徴とする請求項１に記載の電子装置。
【請求項３】
前記特定周波数範囲は、下限値、下限値より大きい上限値、下限値と上限値との間に位置する中心周波数を備えることを特徴とする請求項２に記載の電子装置。
【請求項４】
前記処理ユニットは、前記電子素子の動作周波数と前記中心周波数を比較して、前記電子素子の動作周波数が前記中心周波数より小さいと、前記電子素子の動作周波数を前記下限値よりに小さくなるように調整し、前記電子素子の動作周波数が前記中心周波数より大きいと、前記電子素子の動作周波数を前記上限値より大きくなるように調整することを特徴とする請求項３に記載の電子装置。
【請求項５】
前記電子装置は、ユーザーのＲＦ信号を受信する操作によって対応する入力信号を生成する入力ユニットをさらに備え、前記受信ユニットは、前記入力信号に応じて前記ＲＦ信号を受信することを特徴とする請求項１に記載の電子装置。
【請求項６】
前記電子装置は、受信した前記ＲＦ信号の特定周波数範囲を取得する取得ユニットをさらに備えることを特徴とする請求項５に記載の電子装置。
【請求項７】
少なくとも１つの電子素子を有する電子装置に用いられるＲＦ信号受信方法であって、
特定周波数範囲を有するＲＦ信号を受信するステップと、
少なくとも１つの前記電子素子の動作周波数が前記特定周波数範囲内にあるか否かを検出するステップと、
少なくとも１つの前記電子素子の動作周波数が前記特定周波数範囲内にあると、調整後の少なくとも１つの前記電子素子の動作周波数が前記特定周波数範囲を有する前記ＲＦ信号に干渉しないように、少なくとも１つの前記電子素子の動作周波数を調整するステップと、
を備えることを特徴とするＲＦ信号受信方法。
【請求項８】
少なくとも１つの前記電子素子の動作周波数が前記特定周波数範囲を有する前記ＲＦ信号に干渉しないように、少なくとも１つの前記電子素子の動作周波数を前記特定周波数範囲内にないように調整して、することを特徴とする請求項７に記載のＲＦ信号受信方法。
【請求項９】
前記特定周波数範囲は、下限値、下限値より大きい上限値、下限値と上限値との間に位置する中心周波数を備えることを特徴とする請求項８に記載のＲＦ信号受信方法。
【請求項１０】
前記ＲＦ信号受信方法は、
少なくとも１つの前記電子素子の動作周波数と前記中心周波数を比較するステップと、
少なくとも１つの前記電子素子の動作周波数が前記中心周波数より小さいと、少なくとも１つの前記電子素子の動作周波数を前記下限値よりに小さくなるように調整するステップと、
少なくとも１つの前記電子素子の動作周波数が前記中心周波数より大きいと、少なくとも１つの前記電子素子の動作周波数を前記上限値よりに大きくなるように調整するステップと、
をさらに備えることを特徴とする請求項９に記載のＲＦ信号受信方法。
【発明の詳細な説明】
【技術分野】
【０００１】
本発明は、電子装置及びＲＦ信号受信方法に関するものである。
【背景技術】
【０００２】
テレビジョンのような無線周波数（ＲＦ）受信装置は、受信ユニットによって特定周波数範囲を有するチャンネル信号のようなＲＦ信号を受信するが、テレビジョンの電子素子（例えば、ダブルデータレート（ＤＤＲ））の動作周波数とチャンネル信号の特定周波数が近似する場合、チャンネル信号は干渉を受ける。このため、電磁妨害（ＥＭＩ）制御素子を増加する又はアルミニウム箔などによって接地性を改善することにより、電子素子の動作時に、その動作周波数が及ぼすチャンネル信号に対する干渉を避けることが行われる。
【発明の概要】
【発明が解決しようとする課題】
【０００３】
しかし、ＥＭＩ制御素子又はアルミニウム箔などの他の素子を増加すると、生産過程で作業操作を増加するため、生産コストを高める。
【０００４】
本発明の目的は、前記課題を解決し、他の素子を増加しなくても自身の電子素子の動作周波数が及ぼすＲＦ信号に対する干渉を避けることができる電子装置及びＲＦ信号受信方法を提供することである。
【課題を解決するための手段】
【０００５】
本発明に係る電子装置は、特定周波数範囲を有するＲＦ信号を受信する受信ユニットと、電子装置の電子素子の動作周波数が特定周波数範囲内にあるか否かを検出する検出ユニットと、電子素子の動作周波数が特定周波数範囲内にあると、調整後の電子素子の動作周波数が特定周波数範囲を有するＲＦ信号に干渉しないように電子素子の動作周波数を調整する処理ユニットと、を備える。
【０００６】
本発明に係るＲＦ信号受信方法は、少なくとも１つの電子素子を有する電子装置に用いられ、特定周波数範囲を有するＲＦ信号を受信するステップと、少なくとも１つの電子素子の動作周波数が特定周波数範囲内にあるか否かを検出するステップと、少なくとも１つの電子素子の動作周波数が特定周波数範囲内にあると、調整後の少なくとも１つの電子素子の動作周波数が特定周波数範囲を有するＲＦ信号に干渉しないように少なくとも１つの電子素子の動作周波数を調整するステップと、を備える。
【発明の効果】
【０００７】
本発明の電子装置及びＲＦ信号受信方法は、他の素子を増やさずに、電子素子の動作周波数を調整することにより、電子素子の動作周波数が及ぼすＲＦ信号に対する干渉を避けることができる。
【図面の簡単な説明】
【０００８】
【図１】本発明の実施形態に係る電子装置の機能ブロック図である。
【図２】図１に示す電子装置のＲＦ信号受信方法のフローチャートである。
【発明を実施するための形態】
【０００９】
以下、図面を参照して、本発明の実施形態について説明する。
【００１０】
図１を参照すると、本発明の実施形態に係る電子装置１００は、入力ユニット１１０と、受信ユニット１２０と、取得ユニット１３０と、検出ユニット１４０と、処理ユニット１５０と、を備える。電子装置１００は、さらにダブルデータレート（ＤＤＲ）（図示せず）などの他の電子素子を備える。本実施形態において、電子装置１００はテレビジョンである。
【００１１】
入力ユニット１１０は、ユーザーのＲＦ信号を受信する操作によって対応する入力信号を生成する。入力ユニット１１０は、電子装置１００に設置されたボタン又はタッチパネル、電子装置１００を遠隔に制御するためのリモコンなどであることができる。
【００１２】
受信ユニット１２０は、入力ユニット１１０によって生成された入力信号に応じてＲＦ信号を受信する。
【００１３】
取得ユニット１３０は、受信したＲＦ信号の特定周波数範囲を取得する。一般的にＲＦ信号の特定周波数範囲Ｆは下限値ｆ１、下限値ｆ１より大きい上限値ｆ２、下限値ｆ１と上限値ｆ２との間に位置する中心周波数ｆ０を有し、特定周波数範囲Ｆは〔ｆ１，ｆ２〕で表示することができ、ｆ０＝ｆ２−μ又はｆ１＋μであり、μ＝（ｆ２−ｆ１）/２である。例えば、受信したＲＦ信号の特定周波数範囲Ｆが〔５９５ＭＨｚ，６０５ＭＨｚ〕であり、μ＝５であり、対応する中心周波数ｆ０は（５９５＋μ）ＭＨｚであり、即ち６００ＭＨｚである。
【００１４】
検出ユニット１４０は、電子素子の動作周波数を検出して、電子素子の動作周波数が特定周波数範囲内にあると検出信号を生成する。
【００１５】
処理ユニット１５０は、検出ユニット１４０からの検出信号を受信すると、電子素子の動作周波数を調整して、調整後の電子素子の動作周波数が受信した特定周波数範囲を有するＲＦ信号と干渉しないようにする。本実施形態において、処理ユニット１５０は電子素子の動作周波数を調整して、調整後の電子素子の動作周波数が特定周波数範囲内にないようにして、電子素子の動作時に受信した特定周波数範囲を有するＲＦ信号に対する干渉を避ける。
【００１６】
処理ユニット１５０は、受信したＲＦ信号の中心周波数ｆ０と検出した電子素子の動作周波数ｆを比較する。電子素子の動作周波数ｆが受信したＲＦ信号の中心周波数ｆ０より小さいと、処理ユニット１５０は動作周波数ｆを下限値より小さい値に調整し、例えば、電子素子の動作周波数ｆを（ｆ−μ）ＭＨｚに調整する。電子素子の動作周波数が受信したＲＦ信号の中心周波数ｆ０より大きいと、処理ユニット１５０は動作周波数ｆを上限値より大きい値に調整し、例えば、電子素子の動作周波数ｆを（ｆ＋μ）ＭＨｚに調整する。
【００１７】
本発明を理解し易く説明するために、テレビジョンが特定周波数範囲を有するチャンネル信号を受信する場合を例に挙げて、電子装置１００の動作原理を説明する。
【００１８】
ユーザーが入力ユニット１１０によってチャンネル（例えば、財政経済チャンネルＳ１である）を選択する場合、受信ユニット１２０は選択したチャンネル、即ち財政経済チャンネルＳ１に対応するチャンネル信号を受信する。取得ユニット１３０は、財政経済チャンネルＳ１に対応するチャンネル信号の特定周波数範囲Ｆ（例えば、６０１ＭＨｚ〜６１７ＭＨｚである）を取得し、μ＝８であり、ｆ０＝６０９ＭＨｚである。検出ユニット１４０は、電子素子の動作周波数を検出する。電子素子（例えば、ＤＤＲ）の動作周波数ｆ（例えば、６０４ＭＨｚ）が特定周波数範囲Ｆ内にあり且つ中心周波数ｆ０より小さいと、処理ユニット１５０は、ＤＤＲの動作周波数ｆを（ｆ−μ）ＭＨｚに調整して、ＤＤＲの動作周波数が特定周波数範囲Ｆ内にないようする。電子素子の動作時の動作周波数が受信したチャンネル信号の特定周波数範囲内にないので、受信したチャンネル信号への干渉を避けることができる。
【００１９】
図２を参照すると、ＲＦ信号受信方法は電子装置１００に用いられる。ＲＦ信号受信方法は、以下のステップを備える。
【００２０】
ステップＳ２１０：受信ユニット１２０は、ユーザーの操作によってＲＦ信号を受信する。本実施形態において、ユーザーがチャンネルを選択する場合、受信ユニット１２０は選択されたチャンネルに対応するチャンネル信号を受信する。
【００２１】
ステップＳ２２０：取得ユニット１３０は、受信したＲＦ信号の特定周波数範囲Ｆを取得する。ここで、特定周波数範囲Ｆは下限値ｆ１、下限値ｆ１より大きい上限値ｆ２、下限値ｆ１と上限値ｆ２との間に位置する中心周波数ｆ０を有する。
【００２２】
ステップＳ２３０：検出ユニット１４０は、電子素子の動作周波数ｆを検出する。
【００２３】
ステップＳ２４０：検出ユニット１４０は、さらに検出した電子素子の動作周波数ｆが受信したＲＦ信号の特定周波数範囲Ｆ内にあるか否かを判断して、もし検出した電子素子の動作周波数ｆが受信したＲＦ信号の特定周波数範囲Ｆ内にないと、プログラムは終了し、もし検出した電子素子の動作周波数ｆが受信したＲＦ信号の特定周波数範囲Ｆ内にあると、処理ユニット１５０は、電子素子の動作周波数を調整して、調整後の電子素子の動作周波数が特定周波数範囲内にないようにして、電子素子の動作時に受信した特定周波数範囲を有するＲＦ信号への干渉を避ける。具体的に説明すると、処理ユニット１５０は、電子素子の動作周波数ｆが受信したＲＦ信号の中心周波数ｆ０より大きいか否かを判断し（ステップＳ２５０）、もし電子素子の動作周波数ｆが受信したＲＦ信号の中心周波数ｆ０より小さいと、処理ユニット１５０は、電子素子の動作周波数ｆを受信したＲＦ信号の下限値ｆ１より小さい値に調整し（ステップＳ２６０）、もし電子素子の動作周波数ｆが受信したＲＦ信号の中心周波数ｆ０より大きいと、処理ユニット１５０は、電子素子の動作周波数ｆを受信したＲＦ信号の上限値ｆ２より大きい値に調整する（ステップＳ２７０）。  
【符号の説明】
【００２４】
１００  電子装置
１１０  入力ユニット
１２０  受信ユニット
１３０  取得ユニット
１４０  検出ユニット
１５０  処理ユニット
【図１】
2014107866.tif 000003
【図２】
2014107866.tif 000004